(57)【要約】      （修正有）【課題】茹で上がった麺を引き上げる時に箸を使うが、ゆで上がった麺は重くなっており、箸で挟み持ち上げるのに力が必要であり、また、麺はすべりやすく、箸で挟むのも一苦労であるのでこれを解決する。【解決手段】手持ち部２と手持ち部に連設された麺引き上げ部３から構成され、麺引き上げ部は、二股形状を構成するよう第１腕３ａ、第２腕３ｂとを有し、かつ、第１腕及び第２腕は第１腕が外側に、第２腕が内側となるよう並行して弧状に形成され、第１腕の二股内側は、波形状に形成される調理用具。【選択図】図１
2016036410.tif 000002
【特許請求の範囲】
【請求項１】
手持ち部と手持ち部に連設された麺引き上げ部から構成され、麺引き上げ部は、二股形状を構成するよう第１腕、第２腕とを有し、かつ、第１腕及び第２腕は第１腕が外側に、第２腕が内側となるよう並行して弧状に形成され、第１腕の二股内側は、波形状に形成されることを特徴とする調理用具。
【請求項２】
第２腕は第１腕より短く、第１腕と第２腕の先端が並んでいることを特徴とする請求項１記載の調理用具。
【発明の詳細な説明】
【技術分野】
【０００１】
本発明は、鍋で麺類を茹でる時に茹で汁から麺を、容易にすくい上げることなどができる、調理用具に関するものである。
【背景技術】
【０００２】
鍋に湯をはり麺を茹でる時、湯の中の麺をかき混ぜながらほぐしたり、麺を引き上げる時に箸を使うことが多い。また、従来では図７に示すような麺の引き上げ専用の調理用具がある。
【発明の概要】
【発明が解決しようとする課題】
【０００３】
しかし、茹であがった麺を引き上げる時に箸を使う場合、茹であがった麺は重くなっており、箸で挟み持ち上げるのに力が必要である。また、麺はすべりやすく、箸で挟むのも一苦労である。
【０００４】
また図９に示す麺の引き上げ専用の調理器具の場合、鍋底の角に残る麺をすくい上げにくく、また形状も複雑なため、洗いにくいという欠点があった。
【課題を解決するための手段】
【０００５】
上記課題を解決するため本発明の調理用具は、手持ち部と手持ち部に連設された麺引き上げ部から構成され、麺引き上げ部は、二股形状を構成するよう第１腕、第２腕とを有し、かつ、第１腕及び第２腕は第１腕が外側に、第２腕が内側となるよう並行して弧状に形成され、第１腕の二股内側は、波形状に形成されることを特徴としている。
【発明の効果】
【０００６】
本発明の調理用具は、鍋で麺を茹でる際に、湯の中の麺同士がくっつかないよう、麺引き上げ部を使えば箸のごとくほぐすことができ、さらに茹で上がった麺を引き上げる際に、手持ち部を握り持ち上げる力のみで麺を引き上げることができる。また、引き上げた麺は、引き抜く動作で速やかに麺引き上げ部より取り外すことができる。さらに麺引き上げ部が手持ち部と連設した単純な形状なので、洗いやすいというメリットがある。
【図面の簡単な説明】
【０００７】
【図１】本発明の一実施例の正面図
【図２】同実施例の使用状態を示す説明図
【図３】同実施例の他の使用状態を示す説明図
【図４】同実施例の他の使用状態を示す説明図
【図５】同実施例の他の使用状態を示す説明図
【図６】第２の実施例を示す正面図
【図７】図６に示すA−A´線の切断部端面図
【図８】第３の実施例の手持ち部の切断部端面図
【図９】従来の調理用具の斜視図
【発明を実施するための形態】
【０００８】
以下、本発明の一実施例の調理用具を、図面を参照しながら詳細に説明する。
この調理用具は、手持ち部（２）と手持ち部に連設された麺引き上げ部（３）から構成される。麺引き上げ部（３）は二股に分かれており、それぞれを第１腕（３ａ）、第２腕（３ｂ）とし、その間の空間は麺導入部（４）となっている。また、全体として板状になっている。
【０００９】
第１腕（３a）と第２腕（３b）は第１腕を外側、第２腕を内側になるよう、ともに弧状に並行して湾曲している。第１腕の麺導入部側、すなわち第１腕の内側は麺が引っかかり易いように波状に形成された波部（９）を有している。さらに図１に示すように、第２腕（３ｂ）は、第１腕（３ａ）より短めに構成されており、それぞれの先端は二本の箸の先端のように並んでいる。
【００１０】
図１に示すように、手持ち部（２）にはV字切欠き部（６）とそのV字切欠き部（６）の最奥部から、手持ち部の幅を二分するようにスリット（５）が設けられていて、２本の手持ち部片（２ａ）（２ｂ）が互いに近接対向するよう形成されている。
【００１１】
本実施例の調理用具を使うと、従来、箸で麺を引き上げる時には麺を挟み保持するための力が必要だったが、本発明品では第1腕と第２腕の位置関係が固定されていて両腕の位置関係を固定するための力は不要な状態で麺導入部（４）に麺が保持されるため、麺を持ち上げる力のみでよい。図２に示すように、鍋の角にあてた時に麺導入部（４）の開口部と鍋の側面には空間ができ、麺がスムーズに麺導入部（４）に入り込む。麺導入部（４）や、麺引き上げ部（３）により引き上げられた麺は、本体（１）を横方向、すなわち手持ち部（２）の長手方向を水平にして持っている時には波部（９）の凹凸により麺が保持されているが、本体を縦方向、すなわち手持ち部（２）の長手方向を垂直方向にし、麺より引き抜く動作で、スムーズに麺をはずすことができる。また、麺引き上げ部（３）は全体が弧状になっているので、図３に示すように第１腕をフライパンの底面に向けることで、ヘラのように使いフライパンで炒め物をすることができる。さらに図４に示すように二股の先端部をフライパンの底にあたるようすると、箸を使うような感覚で食材をほぐしながら炒めることも可能である。
【００１２】
図５で示すように、スリット（５）は細い直線的な空間であり、レトルト食品などの袋をV字切欠き部（６）から差し込むとスムーズにスリット（５）に導入され、本体（１）を袋の開口部に向かってスライドさせると、袋内の内容物を残らずに出すことができる。
【００１３】
上記実施例では第１腕の内側は波状に形成された波部（９）を有していたが、図６のように第１の腕の内側とともに第２腕の内側（麺導入部とは反対側）にも麺が引っかかり易いように波部（９）を形成してもよい。また、手持ち部片（２ａ）（２ｂ）同志の近接対向する面積を最小にするために、図７（図６におけるＡ−Ａ´の断面図）に示すように、手持ち部片（２ａ）（２ｂ）の断面形状は各々円形に形成されている。そうすることで、スリットに袋の内容物が付いた時にも洗いやすくなる。さらに手持ち部片（２ａ）（２ｂ）の断面形状は図８に示すように四角形を面取りして五画形にし、面取りして形成された頂点同志を対向させてもよい。
【符号の説明】
【００１４】
１      本体
２      手持ち部
２a     手持ち部片
２b     手持ち部片
３      麺引き上げ部
３a     第１腕
３b     第2腕
４      麺導入部
５      スリット
６      V字切欠き部
７      袋
８      鍋
９      波部
【図１】
2016036410.tif 000003
【図２】
2016036410.tif 000004
【図３】
2016036410.tif 000005
【図４】
2016036410.tif 000006
【図５】
2016036410.tif 000007
【図６】
2016036410.tif 000008
【図７】
2016036410.tif 000009
【図８】
2016036410.tif 000010
【図９】
2016036410.tif 000011